(57)【要約】【課題】強度的に不足がなく、美観に優れ、通気性の良いたコレクタバック支持構造を備えた乗用芝刈機を提供すること。【解決手段】車体後部に正面視門型のフレーム１１を立設し、前記フレーム１１に前後ブラケット２１ａ、２１ｂを有する一対の平行リンク部材１３の前ブラケット２１ａを取り付けると共に、該平行リンク部材１３の先端部に刈取り後の芝草を集草するコレクタバック９を備え、コレクタバック９の後面に開閉する蓋９ｃを備えた前記芝草を排草する排出口を設け、側面を通気性の部材９ｅで構成し、底面９ｂをプレート部材で構成し、該底面９ｂの左右両側には側面視逆Ｕ字状フレーム２２をそれぞれ固定し、該Ｕ字状フレーム２２に前記平行リンク部材１３の後ブラケット２１ｂを接続した。【選択図】  図５
2004305156.tif 000002
【特許請求の範囲】
【請求項１】
車体後部に正面視門型のフレーム１１を立設し、前記フレーム１１の左右両側にそれぞれ上下一対のリンク部材１３ａ，１３ｂの前端部を取り付けると共に、該リンク部材１３ａ，１３ｂの後端部に刈取り後の芝草を集草するコレクタバック９を取り付けた乗用芝刈機において、
前記コレクタバック９の後面を排出口とし、この排出口に蓋体９ｃを備え、両側面９ｅを通気性部材で構成し、底面９ｂをプレート部材で構成し、該底面９ｂの左右両側には側面視逆Ｕ字状フレーム２２をそれぞれ固定し、該Ｕ字状フレーム２２の排出口側に回動ブラケット２１ｂを枢着すると共に、該回動ブラケット２１ｂに前記リンク部材１３ａ，１３ｂの後端部を取り付けたことを特徴とするコレクタバックを取り付けた乗用芝刈機。
【請求項２】
前記正面視門型のフレーム１１を基部フレーム１１ａと上フレーム１１ｂに分割し、上フレーム１１ｂに前記リンク部材１３を回動させる昇降用アクチュエータ１６を取り付けたことを特徴とする請求項１記載のコレクタバックを取り付けた乗用芝刈機。
【請求項３】
前記回動ブラケット２１ｂと、前記Ｕ字状フレーム２２との間には、コレクタバック９のダンプ用アクチュエータ２８を介装すると共に、前記回動ブラケット２１と前記蓋体９ｃとの間に、前記コレクタバック９のダンプ操作に従い、前記蓋体９ｃをコレクタバック９の後方へ移動させる四辺リンク機構２９を設けたことを特徴とする請求項１または請求項２に記載のコレクタバックを取り付けた乗用芝刈機。
【発明の詳細な説明】
【０００１】
【発明の属する技術分野】
本発明は、乗用芝刈機に関するものであり、特に、刈り取った芝草を集草するコレクタバックを取り付けた乗用芝刈機に関するものである。
【０００２】
【従来の技術】
従来の乗用芝刈機は、機体の前部又は中央部にモアを装着して、該モアで地面の芝草を刈り取り、刈り取った芝草をブロアで後方へ送り、機体の後部に設けたコレクタバックに集草するように構成されている。そして、コレクタバックの下部に油圧シリンダとリンク部材により構成した昇降機構を備えており、該昇降機構を作動させてコレクタバックを上昇させるとともに後方へ傾斜させて、コレクタバックの内部に収容した芝草を外部に排出する構成を備えている。
【０００３】
【特許文献１】
特開平５−７６２３１号公報
【０００４】
【特許文献２】
特開２００１−２７５４３８号公報
【０００５】
【発明が解決しようとする課題】
前述した従来の乗用芝刈機は、機体の後部に設けたコレクタバック自体の支持とコレクタバック昇降機構を支持するための比較的大きな支持部材を用いているので、芝刈機のサイズが大きくなるだけでなく、美観を損ねるという問題点があった。
【０００６】
また、コレクタバックを通気性にしておくことで内部に集草された芝草を乾燥させる機能を備えた構成のものがよく使われるようになったが、前記比較的大きな支持部材がコレクタバックの通気性の邪魔になっていた。
【０００７】
そこで、本発明の課題は、強度的に不足がなく、美観に優れ、通気性の良いコレクタバック支持構造を取り付けた乗用芝刈機を提供することである。
【０００８】
【課題を解決するための手段】
本発明の上記課題は次の解決手段により達成される。
請求項１記載の発明は、車体後部に正面視門型のフレーム１１を立設し、前記フレーム１１の左右両側にそれぞれ上下一対のリンク部材１３ａ，１３ｂの前端部を取り付けると共に、該リンク部材１３ａ，１３ｂの後端部に刈取り後の芝草を集草するコレクタバック９を取り付けた乗用芝刈機において、前記コレクタバック９の後面を排出口とし、この排出口に蓋体９ｃを備え、両側面９ｅを通気性部材９ｅで構成し、底面９ｂをプレート部材で構成し、該底面９ｂの左右両側には側面視逆Ｕ字状フレーム２２をそれぞれ固定し、該Ｕ字状フレーム２２の排出口側に回動ブラケット２１ｂを枢着すると共に、該回動ブラケット２１ｂに前記リンク部材１３ａ，１３ｂの後端部を取り付けたコレクタバックを取り付けた乗用芝刈機である。
請求項１記載の発明によれば、コレクタバック９の昇降時の支持構造が強固となり、且つ通気性が良い。
【０００９】
請求項２記載の発明は、前記正面視門型のフレーム１１を基部フレーム１１ａと上フレーム１１ｂに分割し、上フレーム１１ｂに前記リンク部材１３を回動させる昇降用アクチュエータ１６を取り付けたことを特徴とする請求項１記載のコレクタバックを取り付けた乗用芝刈機である。
請求項２記載の発明によれば、請求項１記載の発明の作用に加えて、コレクタバック９の装着型と非装着型とを簡単に変更することができる。
【００１０】
請求項３記載の発明は、前記回動ブラケット２１ｂと、前記Ｕ字状フレーム２２との間には、コレクタバック９のダンプ用アクチュエータ２８を介装すると共に、前記回動ブラケット２１と前記蓋体９ｃとの間に、前記コレクタバック９のダンプ操作に従い、前記蓋体９ｃをコレクタバック９の後方へ移動させる四辺リンク機構２９を設けた請求項１または請求項２に記載のコレクタバックを取り付けた乗用芝刈機である。
請求項３記載の発明によれば、請求項１、２記載の発明の作用に加えて、Ｕ字状２２、ダンプ用アクチュエータ２８、四辺リンク機構２９などにより上下方向にコンパクトに回転させてコレクタバック９の排出口を下向きに確実に開くことができる。
【００１１】
【発明の効果】
請求項１記載の発明によれば、何度も昇降しながら使用するコレクタバック９の支持構造が強固となり、且つ通気性を極力妨げず、美観も優れたコレクタバック９の支持機構が得られる。
【００１２】
請求項２記載の発明によれば、請求項１記載の発明の効果に加えて、コレクタバック９の装着型と非装着型とを簡単に変更することができ、使用態様の違いに対応ができ、また梱包が容易になる。
【００１３】
請求項３記載の発明によれば、請求項１、２記載の発明の効果に加えて、コレクタバック９の排出口が確実に開くこと（ダンプ時に自重で回動して開く蓋９ｃとした場合は、この蓋体９ｃが抵抗となってダンプされる芝草が手前に落ちる場合がある）、コレクタバック９が上下方向にコンパクトに回転させることができることである。
【００１４】
【発明の実施の形態】
本発明の実施の形態について図面と共に説明する。
図１は乗用型芝刈機の側面図を示し、図２には乗用型芝刈機の後面側の要部を示し、図３にコレクタバック部分の構成図を示す。
【００１５】
乗用芝刈機は、走行車両の前部にステアリングコラム１を立設し、ステップ２に図示していないがクラッチペダルや左右独立したブレーキペダルを設けてある。操縦席３の左側部にはミッドモア６のカッターの回転を入切するＰＴＯクラッチレバー５を設ける。そして、走行車両の中央下部にミッドモア６を装着し、乗用型芝刈機の走行時にミッドモア６で地面の芝草を刈り取る。刈り取られた芝草はブロア（図示せず）により後方へ送られ、ダクト７を通過して走行車両の後部に設けたコレクタバック９に収容される。
【００１６】
操縦席３とコレクタバック９の間にはコレクタバック９の支持用のフレーム１１を設けるが、該フレーム１１は正面視（又は背面視）で門型のフレームであり、分割可能な主な２つの部材からなる。一つは車体の両側に固定されて立設された基部フレーム１１ａであり、もう一つは逆Ｕ字状の上フレーム１１ｂであり、上フレーム１１ｂの下端部は基部フレーム１１ａの上端部と着脱自在に接続される。図１には一体化された門型フレーム１１の上フレーム１１ｂとコレクタバック９とを芝刈機の機体から分離した場合を示しているが、上フレーム１１ｂの左右両側部のそれぞれ中間部には、リンク基部取付用ブラケット２１ａ、２１ａを取り付け、同ブラケット２１ａにコレクタバック９の昇降装置１２の平行リンク部材１３（上リンク部材１３ａと下リンク部材１３ｂ）の前端部を枢着している。
【００１７】
コレクタバック９の昇降装置１２は、昇降用シリンダ１６、一対の平行リンク部材１３（上リンク部材１３ａと下リンク部材１３ｂ）とその両端をそれぞれ回動自在に支持する一対のブラケット２１ａ、２１ｂを備えている。上フレーム１１ｂ側のブラケット２１ａは上フレーム１１ｂのほぼ中間部に固定され、他方のブラケット２１ｂはコレクタバック９の左右側壁側に設けられた側面視逆Ｕ字状フレーム２２に、その中央部が回動自在に支持されている。
【００１８】
下リンク部材１３ｂの基部側にはシリンダピストン取付用ブラケット１５が設けられ、該ブラケット１５には昇降用シリンダ１６のピストンロッド１７の先端が回動自在に接続されている。また昇降用シリンダ１６の基部は上フレーム１１ｂの基部に設けられたシリンダ取付用ブラケット１９に支持されている。
【００１９】
また、上フレーム１１ｂに固定されたリンク基部取付用ブラケット２１ａの装着部には上フレーム１１ｂの左右のフレーム部分を連結する補強部材２３（図２）を設けているので、上フレーム１１ｂでコレクタバック９を支持する強度が得られる。しかも前記ブラケット２１ａを取り付ける上フレーム１１ｂ部分はコレクタバック９の昇降時の昇降装置１２の作動時に最も荷重のかかるポイントであるので、この部分を補強部材２３で補強するので補強部材２３自体の大きさ、形状をコンパクトにでき、しかも安価な構成となる。
【００２０】
コレクタバック９は箱形形状であり、図３に組み立て前の主要部を示すように、前面９ａ、左右側面（図示せず）、底面９ｂ、後面９ｃ及び天井面９ｄをそれぞれのパートで構成し、図３に示すように、前面９ａと後面９ｃは、多数の通気孔を有する金属製プレート部材で構成し、車両の進行方向の左右両側面は、前記逆Ｕ字状の金属製のアーム２４、２４を底面９ｂの部材に溶接固定して、該アーム２４により樹脂製、或いは布製のメッシュ部材から成る側面部材９ｅの外側をガードする構成となっている。また、前記底面９ｂには、前記逆Ｕ字状フレーム２２、２２よりも一回り大きい逆Ｕ字状のフレーム（以下、外枠用フレーム２４、２４）を設け、同フレーム２４の間隙部に、前記メッシュ部材を取り付けると共に、同フレーム２４の前部に前記前面９ａを固定し、後部には芝草などの排出口となる開閉自在な蓋体９ｃを配置している。さらに、天井面９ｄは、金属製のカバーで構成され、前記前面９ａ及び後面９ｂに固定する。
その結果、左右両側面、前面及び後面は通気性の部材で構成することで、内部の芝草の乾燥を図ることができる。
【００２１】
前記コレクタバック９の左右両側面には小さな逆Ｕ字状のフレーム２２が設けられているが、平行リンク部材１３のコレクタバック９側のブラケット２１ｂの中間部２１ｂ１が前記フレーム２２の突起２２ｂに回動自在に支持されており、この回動支点Ａ（図１）がコレクタバック９の回転の支点になる。
【００２２】
図１に示す芝刈機の機体の下方のダクト７に隣接する領域には前記前面９ａがあり、開放された開口部９ａ１を形成し、その開口部９ａ１に対向する後面９ｃは開閉自在な蓋になり、蓋を取ると開口状態になり、ここから芝草が排出可能となる。
【００２３】
また、コレクタバック９の底面９ｂには図４のコレクタバック９の底面図に示すように補強部材２５、２５を左右側面の逆Ｕ字状フレーム２２、２２にそれぞれ連結しているので、これらの部材２２、２５はコレクタバック９の全体の支持とコレクタバック９の内部の芝草ダンプ時の支点となる。
【００２４】
また、前記後面９ｃはコレクタ内部の芝草をダンプするときには、該バック９の内部を開放するように動く必要があるので、以下のようなリンク機構でコレクタバック９の上昇と回転時に後面（蓋）９ｃを開ける様な動きをする。
【００２５】
すなわちコレクタバック９側のブラケット２１ｂの上端部のブラケット２７に一端が回動自在に支持された油圧シリンダ２８が設けられ、該油圧シリンダ２８は一対の蓋開閉用の平行リンク部材２９ａ、２９ｂの作動用に設けられている。一対の蓋開閉用の平行リンク部材２９ａ、２９ｂの一端部はブラケット２７にそれぞれ回動自在に連結され、他端部は後面（蓋）９ｃの両側面に設けられたブラケット３０に固定されている。
【００２６】
平行リンク部材２９ｂの中間部に一端が回動自在に係止され、他端が逆Ｕ字状フレーム２２の突起部２２ａに回動自在に係止されたアーム３１が左右一対設けられている。
【００２７】
また、油圧シリンダー２８の基部側はブラケット２７に回動自在に支持され、そのピストンロッド３２の先端に設けられる回動自在のアーム３３の先端が係止している。該アーム３３の他端は逆Ｕ字状フレーム２２の突起２２ｂに挿入されて回転自在に係止されている。また、ピストンロッド３２の先端にはもう一つの回動自在のアーム３４の先端が枢着し、該アーム３４の他端は逆Ｕ字状フレーム２２の突起２２ｃに挿入されて回転自在に枢着されている。
【００２８】
図５にはコレクタバック９が上昇した場合の側面図を示すが昇降用シリンダ１６が伸張してリンク部材１３を介してコレクタバック９が芝刈機にセットされる初期状態とほぼ同じ姿勢で上昇していることを示しているので、コレクタバック９の内部に刈り取った芝があってもこぼれ落ちない。
【００２９】
次いで、平行リンク部材用ブラケット２１ｂに固定支持された蓋開閉用ブラケット２７に基部側が支持された油圧シリンダ２８が伸張すると、アーム３３，３４がコレクタバック９の側壁側の逆Ｕ字状フレーム２２を図６に示すように動かし、コレクタバック９の前面９ａが上方を向き、それと同時に後面（蓋）９ｃが平行リンク部材２９によりコレクタバック９から外れる方向に動く（図６）。このためコレクタバック９の内部の刈り取り後の芝がコレクタバック９の下を向いた後面９ｃにある排出口から落下する。コレクタバック９の内部の芝がコレクタバック９から落下する前のコレクタバック９の回動支点Ａは、ほぼコレクタバック９の前面９ａにある開口部の下端部付近であるためコレクタバック９を傾斜させたときにコレクタバック９の後面９ｃにある排出口が後方へシフトし、芝刈機の機体から離れると同時にトラックなどの荷台に接近して芝草を該荷台に容易に排出できる。
【００３０】
また、コレクタバック９の底面９ｂのプレートは、通常作業時及び上昇時には、後ろ上がり傾斜に保持され、図６に示す内部の刈取り後の芝草のダンプ時には前下がり傾斜になるので芝草が排出口から落ちることが無い。
【００３１】
また、コレクタバック支持用の門型フレーム１１は基部フレーム１１ａと上フレーム１１ｂとの上下に分割し、コレクタバック上下用の昇降装置１２の昇降用シリンダ１６を上フレーム１１ｂに取付けるようにしたので、上フレーム１１ｂと昇降用シリンダ１６を含むコレクタバック９側の装置全体を芝刈機の機体から着脱可能になる。
【００３２】
また、コレクタバック９を芝刈機に装着しないで刈取り後の芝草を庭などに放出する場合は、コレクタバック９とその周辺の部材を容易に取外せる構成が望ましく、また芝刈機本体とコレクタバック９側の装置を別々にして梱包することができるので、輸送時に便利となる。
【図面の簡単な説明】
【図１】本発明の実施の形態の芝刈機の側面図である。
【図２】図１の芝刈機の背面図である。
【図３】図１の芝刈機のコレクタバック部分の構成図である。
【図４】図１の芝刈機のコレクタバック部分の底面図である。
【図５】図１の芝刈機のコレクタバック部分の側面図である。
【図６】図１の芝刈機のコレクタバック部分の側面図である。
【符号の説明】
１  ステアリングコラム        ３  操縦席
５  ＰＴＯクラッチレバー      ６  ミッドモア
７  ダクト                    ９  コレクタバック
９ａ  前面                    ９ａ１  開口部
９ｂ  底面                    ９ｃ  後面
９ｄ  天井面                  ９ｅ  側面部材
１１  門型フレーム            １１ａ  基部フレーム
１１ｂ  上フレーム            １２  昇降装置
１３  平行リンク部材          １３ａ  上リンク部材
１３ｂ  下リンク部材          １５  ブラケット
１６  昇降用シリンダ          １７  ピストンロッド
１９  ブラケット              ２１ａ、２１ｂ  ブラケット
２２  Ｕ字状フレーム          ２２ａ、２２ｂ、２２ｃ  突起
２３  補強部材                ２４  アーム
２５  補強部材                ２７  ブラケット
２８  油圧シリンダ            ２９、２９ａ、２９ｂ  平行リンク部材
３０  ブラケット              ３１  アーム
３２  ピストンロッド          ３３、３４  アーム
【図１】
2004305156.tif 000003
【図２】
2004305156.tif 000004
【図３】
2004305156.tif 000005
【図４】
2004305156.tif 000006
【図５】
2004305156.tif 000007
【図６】
2004305156.tif 000008